(57)【要約】【課題】  本発明は、手の届かないような背中の患部に一人で軟膏を塗り伸ばしたり、又痒いたりする事の出来るコンパクトで持ち運びにも便利な、背中の軟膏塗り伸ばし兼用掻き具を提供する。【解決手段】  一面に背中掻きブラシ面と、他面に軟膏定置スポットを設けて軟膏塗り伸ばし面を形成し、側面を貫通して２本の手動紐を設け、２本を一束にして数箇所に結び目を設けてあり、台盤の周回壁面において手動紐に直交的な二点の一方に目印蛍光頭を左右に首振り可能に軸留めしてあり、目印蛍光頭の縁際に掛け紐通し穴を設けてあり、目印蛍光頭の位置の真反対の壁面に蛍光目印シッポを設けてある事を特徴とする、  背中の軟膏塗り伸ばし兼用掻き具。【選択図】図１
2018094358.tif 000002
【特許請求の範囲】
【請求項１】
手の平で軽く握れる程度の大きさで、厚みのある楕円もしくは円状の台盤の片面に多数のブラシ歯を設けて、背中掻きブラシ面と成しており、
他面の中央部に軟膏定着スポットを設けて、軟膏塗り伸ばし面と成しており、
台盤の厚みある側面壁に、盤面中心部を挟む２本の平行線状に貫通する手動紐通しトンネルを設けて、
そこに手動紐を通し、手動紐通しトンネルの両側で抜け出て程なく２本の手動紐は一束にまとめられて、数箇所に結び目を設けてあり、
台盤の周回壁面において、手動紐に直交的な二点の一方に目印蛍光頭を、左右に首振り可能に軸留めしてあり、
目印蛍光頭の縁際に掛け紐通し穴を設けてあり、目印蛍光頭の位置の真反対側の壁面に蛍光目印シッポを設けてある事を特徴とする、
背中の軟膏塗り伸ばし兼用掻き具。
【発明の詳細な説明】
【技術分野】
【０００１】  本発明は、手の届かないような背中の患部に一人で軟膏を塗り伸ばしたり、掻いたりする、背中の軟膏塗り伸ばし兼用掻き具に関するものである。
【背景技術】
【０００２】  従来、何本かを繋いだ組立式の歯ブラシ状の棒先で軟膏や湿布材を塗ったり、痒い所を掻いたりする物があった（特許文献１参照）。
【先行技術文献】
【特許文献】
【０００３】
【特許文献１】特開  ２００７−１６００４７号公報
【発明の概要】
【発明が解決しようとする課題】
【０００４】    特許文献１に示される先行技術は、次のような欠点があった。
イ．使用する際に組立てをしなければならない事。
ロ・組立の棒を紛失してしまうこともある事。
本発明は、以上の様な問題点を解決する為になされたものである。
【課題を解決するための手段】
【０００５】  手の平で軽く握れる程度の大きさで、厚みのある楕円もしくは円状の台盤の片面に多数のブラシ歯を設けて背中掻きブラシ面と成しており、他面の中央部に軟膏定置スポットを設けて軟膏塗り伸ばし面と成しており、台盤の厚みある側面壁に、盤面中心部を挟む２本の平行線状に貫通する手動紐通しトンネルを設けて、そこに手動紐を通し、手動紐通しトンネルの両側で抜け出て程なく２本の手動紐は一束にまとめられて、数箇所に結び目を設けてあり、台盤の周回壁面において、手動紐に直交的な二点の一方に目印蛍光頭を左右に首振り可能に軸留めしてあり、目印蛍光頭の縁際に掛け紐通し穴と掛け紐を設けてあり、目印蛍光頭の位置の真反対側の壁面に蛍光目印シッポを設けてある。
本発明は、以上の構成よりなる背中の軟膏塗り伸ばし兼用掻き具である。
【発明の効果】
【０００６】    イ・人に頼むのではなく、いつでも一人で気楽に出来る事。
ロ・一人での生活者も多くなっている時一つ有れば有効である事。
ハ・眼に触れる所に掛けて置くことで何時でも直ぐに使える事。
ニ・一つの器具の表裏で背中の軟膏塗り伸ばしと痒みを取ることが出来る事。
ホ・コンパクトで持ち運びにも便利で目印蛍光に依り紛失も無い事。
【図面の簡単な説明】
【０００７】
【図１】本発明の平面図
【図２】本発明の一部である背中掻きブラシ面の斜視図
【図３】本発明の一部である軟膏塗り伸ばし面の斜視図
【図４】本発明を壁に掛け留めて収納してある状態を示す正面図。
【発明を実施するための形態】
【０００８】  以下、発明を実施するための形態について図面に沿って説明する。
背中の手が届かない所の患部や痒みの有る所を一人で処置するのに苦労している人は多い。
手の平で軽く握れる程度の大きさで、厚みのある楕円もしくは円状の台盤の片面に多数のブラシ歯を設けて背中痒きブラシ面（１）と成し、他面の中央部に軟膏定置スポット（９）を設けて、軟膏塗り伸ばし面（２）と成し，台盤の厚みある側面壁に、盤面中心部を挟む２本の平行線状に貫通する手動紐通しトンネル（３）を設けて、そこに手動紐（４ａ・４ｂ）を通し手動紐通しトンネル（３）の両側で抜け出て程なく２本の手動紐（４ａ，４ｂ）は一束にまとめられて、数箇所に結び目（５）を設けてあり、台盤の周回壁面において、手動紐（４ａ，４ｂ）に直交的な二点の一方に目印蛍光頭（６）を左右に首振り可能に軸留（８）めしてあり、目印蛍光頭（６）の縁際に掛け紐通し穴（７）と掛け紐（１１）を設けてあり、目印蛍光頭（６）の位置の真反対側の壁面に蛍光目印シッポ（１０）を設ける。
本発明は以上の構成よりなり、以下、本発明の使用方法について説明する。
これは、手の届きにくい所の痒みや疾患の治療の時に使用すると便利で、背中掻きブラシ面（１）と軟膏塗り伸ばし面（２）が表裏一体となっいる器具で、器具より左右均等に伸びている２本の手動紐（４ａ，４ｂ）の両端を持って（お風呂で背中をタオルで洗うように）左右、上下に動かすことで痒みを取り、又、軟膏を患部、背中全体に塗り広げるものである。
背中掻きカキブラシ面（１）は表題の通り手の届きにくい所に、ブラシ面を背中に当て手動紐（４ａ，４ｂ）の両端を持って左右、上下に器具を動かす事で痒みを解消するのに使用するものであり、
軟膏塗り伸ばし面（２）は、背中の湿疹，汗疹等々を治療する時に用いる。
この面を使用する時は、軟膏塗り伸ばし面（２）の中央部にある軟膏定置スポッツト（９）に必要量の軟膏を置き、患部、または背中全体に手動紐（４ａ，４ｂ）を使い塗り広げる。
この時、軟膏定着スポッツト（９）が軟膏塗り伸ばし面（２）の中央にこんもりと盛り上がった形状なので、そこに置かれた軟膏はスムーズに周囲に広がることが出来る。
そして、治療が終ったら軟膏塗り伸ばし面（２）をチッシュ、布等で清潔にして置くと良い。（図４参照）  また、使用の際に掛け紐（１１）が邪魔になる場合には掛け紐（１１）を目印蛍光頭（６）の両側に回して掛けて置けば邪魔にならない。
手動紐（４ａ，４ｂ）には数箇所に結び目が設けてあり、これは使用する人の体格に合わせて作動が出来るように、最初の手動紐の結び目（５）は左右均等に２５〜２６ｃｍ程の所に設け、後の数箇所は５〜６ｃｍ程の所に結び目を設けてあり、其々の自分の身体に合う結び目の所に手を添えて左右、上下に動かすのであるが、結び目のコブが手の平に引っかかりを生じるので、握力の弱った高齢者でも容易に手動紐（４ａ，４ｂ）をコントロールできる。
また、目印蛍光頭（６）の縁際に掛け紐（１１）が設けてあり、フックなどを用いて掛けて置くと良い。
目印蛍光頭（６）蛍光目印シッポ（１０）には夜光塗料が施してあり（一回の発光時間は４〜８時間とされているが）暗い所でも目に着くものであります。
鶴は千年、亀は万年と故事ことわざにもありますが、亀を模した様なこの器具も、一つのオブジェ的な物として掛けて置いても良いのではと思います。
【符号の説明】
【０００９】  １    背中掻きブラシ面      ２    軟膏塗り伸ばし面    ３    手動紐通しトンネル
４ａ  手動紐  ４ｂ  手動紐  ５    手動紐の結び目      ６    目印蛍光頭
７    掛け紐通し穴          ８    軸留                ９    軟膏定置スポッツト
１０    蛍光目印シッポ      １１    掛け紐
【図１】
2018094358.tif 000003
【図２】
2018094358.tif 000004
【図３】
2018094358.tif 000005
【図４】
2018094358.tif 000006